(57)【要約】      （修正有）【課題】塗膜及び塗料微粒子が付着した塗装ブース用椰子がらフィルターは使用後、従来は廃棄処分されていた。しかし廃棄費用低減及び環境問題対策、資源再利用促進並びに塗装コスト低減等の観点から、該フィルターから短時間に効率良く、付着した塗膜及び塗料微粒子を除去し、フィルターを傷めることなく、再利用可能な状態にできる装置を提供する。【解決手段】フィルター挿入ガイド板１５、使用済みフィルターに付着した塗膜及び塗料微粒子を除去するローラ群、処理フィルター受け格子板１８、除去粉末捕集用ホッパー１６、ロール駆動用モーター１３、ロール駆動用ギャ−を設置したギヤーボックス、駆動用電気機器を設置した電気制御盤１０及びロール部安全蓋等を備えていることを特徴とする乾式フィルター再生装置。【選択図】図２
0003101283.tif 000002
【実用新案登録請求の範囲】
【請求項１】
使用済み塗装ブース用椰子がらフィルター再生装置において、フィルター挿入ガイド板、該フィルターをモーターで回転する挿入下部ロールと挿入上部ロールとの間に挿入し、次いで前記挿入ロール後流に配置したモーターで回転する叩きロールとモーターで回転する受けロールとの間を通過させることにより該フィルターに付着した塗膜及び塗料微粒子を除去するローラ群、処理フィルター受け格子板、除去粉末捕集用ホッパー、ロール駆動用モーター、ロール駆動用ギヤーボックス、駆動用電気機器を設置した電気制御盤及びロール部安全蓋等を備えていることを特徴とする乾式フィルター再生装置。
【考案の詳細な説明】
【技術分野】
【０００１】
本考案は主として、乾式塗装ブースに装着され使用された椰子がらフィルターに付着した塗膜及び微粒子を、乾式で除去する乾式フィルター再生装置に関するものである。
【背景技術】
【０００２】
スプレー塗装を行う塗装工場に設置されている乾式塗装ブースには通気圧損が低く、適度な塗料ミストの捕集効果があり且つ安価な椰子がら繊維製フィルターが用いられている。該椰子がらフィルターは通気圧損が上昇し、使用できなくなる限界近くまで塗料ミストを捕集させたのち、廃棄物として、廃却処分されているのが現状である。
【考案の開示】
【考案が解決しようとする課題】
【０００３】
本考案は塗膜及び塗料微粒子が付着し、嵩張るフィルターの廃却費用低減及び環境問題対策、資源再利用促進並びに塗装コスト低減等の観点から、該使用済み塗装ブース用椰子がらフィルターから短時間に効率良く、フィルターに付着した塗膜及び塗料微粒子を除去し、フィルターを傷めることなく、再利用可能な状態にできる乾式フィルター再生装置を提供することを目的とする。
【課題を解決するための手段】
【０００４】
本考案は使用済み塗装ブース用椰子がらフィルター再生装置において、フィルター挿入ガイド板、該フィルターをモーターで回転する挿入下部ロールと挿入上部ロールとの間に挿入し、次いで前記挿入ロール後流に配置したモーターで回転する叩きロールとモーターで回転する受けロールとの間を通過させることにより該フィルターに付着した塗膜及び塗料微粒子を除去するローラ群、処理フィルター受け格子板、除去粉末捕集用ホッパー、ロール駆動用モーター、ロール駆動用ギヤーボックス、駆動用電気機器を設置した電気制御盤及びロール部安全蓋等を備えていることを特徴とする乾式フィルター再生装置を提供するものである。
【考案の効果】
【０００５】
上記考案において、フィルター挿入ガイド板は底板が平板で微粒子がガイド板から周囲に落下するのを防止するため、左右端に縦板を配しており、ロール側に向けて、僅かに傾斜させて、フィルターを挿入し易くしている。
また、フィルターをモーターで回転する挿入下部ロールはゴム製ロールで、挿入上部ロールは硬質の樹脂製または金属製の円柱型ロールからなる。
また、前記挿入ロール後流に配置したモーターで回転する叩きロールは金属製の四角柱型ロール、その下部に配するモーターで回転する受けロールは硬質の樹脂製または金属製の円柱型ロールからなる。
下部挿入ロールの回転数よりも後流の叩きロールおよび受けロールの回転数を5〜10倍早くなるように調整することにより、前記使用済みフィルターがロール間を移動する間にフィルター繊維に付着した塗膜状物、あるいは塗料ミストが乾燥して固形物となった微粒子がフィルター表面または内部から叩き出される作用で除去される。
前記、処理済みのフィルターは除去粉末捕集用ホッパー内に設けられた処理フィルター受け格子板上に受けられる。また除去された塗料微粒子は必要に応じ、堆積粉末移動用バイブレーターを稼動し、除去粉末捕集用ホッパー内に落とされ、捕集袋取付用ノズルを通って、捕集袋に捕集され、廃棄処分される。
【考案を実施するための最良の形態】
【０００６】
本考案の実施形態を図面により説明する．第1図は本考案の一実施例の平面図、第２図は本考案の一実施例の側面断面図、第3図は本考案の一実施例の正面図、第4図は本考案の一実施例の後面図である。
【０００７】
前記使用済みの被処理フィルター23をフィルター挿入ガイド板15に置いた状態で電気制御盤10に設置した回転切り替えスイッチ及び駆動用ギヤボックス11に設置したレバー型スイッチを入れ、フィルター挿入下部ロール19、フィルター叩きロール下部受けロール21及びフィルター叩きロール22を回転させる。
その後、前記フィルターを上部前側安全蓋1とフィルター挿入ガイド板15との空隙部に押し込冶具を用いて押し込み、フィルター挿入下部ロール19とフィルター挿入上部ロール20との間まで到達させる。前記フィルターが前記二つのロールに到達すると、ロール駆動用モーター13で回転するフィルター挿入下部ロール19の回転力により、自動的に後流側に挿入され、フィルター叩きロール下部受けロール21とフィルター叩きロール22との間を通過する時にフィルター叩きロール22で約25回/秒叩かれ、付着した塗膜状物及び微粒子が叩き落とされ除去される。
前記叩き回数はフィルター叩きロール22およびフィルター叩きロール下部受けロール21の回転数を変えることにより容易に変えることが可能である。
【０００８】
叩き落とされた塗料微粒子はロール部底板12の上面及び除去粉末捕集用ホッパー16内に落ち、除去粉末捕集用ホッパー16の壁面を滑った微粒子は捕集袋取付用ノズル17に取付けた袋に捕集される。
【０００９】
ロール部底板12の上面に堆積した微粒子が除去粉末捕集用ホッパー16内に移動し難い場合にはロール部底板12の外側に取り付けた堆積粉末移動用バイブレーター14を稼動することにより、前記堆積微粒子を前記ホッパー内に落とし捕集することができる。
【００１０】
前記叩きロール22とフィルター叩きロール下部受けロール21との間を通過したフィルターは処理フィルター受け格子板18上に出て止まる。
【００１１】
受け格子板18上に出て止まった処理フィルターを取り出すには、処理フィルター取出部安全蓋3に付けた処理フィルター取出部安全蓋手指掛具4を摘み、前記安全蓋を開けることにより容易に取り出すことができる。
【００１２】
本考案の一実施例を示す装置にはロール部での巻き込まれ事故を防止するため、上部前側安全蓋1、上部後側安全蓋2、処理フィルター取出部安全蓋3および装置前面安全板5が設置されている。
【００１３】
また、本考案の一実施例を示す装置には誤操作によるロール回転を防止するため、電気制御盤10に左側から逆転−停止−正転の切り替えスイッチを設け、ロールを回転しない時には常に停止位置するようにし、ロールを回転する時には前記スイッチを停止から正転に入れた後、駆動用ギヤーボックス11に設けたレバー型スイッチを入れることで、ロール駆動用モーター13を稼動し駆動用ギヤーボックス11内のギヤーを介し、ロールを回転させるようになっている。
【００１４】
また、本考案の一実施例を示す装置はフィルター挿入ガイド板支柱6、処理フィルター出口ホッパー部固定支柱7、ロール部、電気制御盤部、駆動用ギヤーボックス等固定架台8により、フィルター挿入ガイド板、処理フィルター出口ホッパー部、ロール部、電気制御盤部、駆動用ギヤーボックス等が支えられており、点検などで必要があれば、各部が分離できる構造になっている。
【００１５】
また、本考案の一実施例を示す装置は、装置の移動を容易にするため、ロール部、電気制御盤部、駆動用ギヤーボックス等固定架台8の接地面にキャスタ−9が設置されている。
【産業上の利用可能性】
【００１６】
本考案の装置はリサイクルを目的とした空調機用プレフィルターの水洗浄処理の前処理としても利用できる。
【図面の簡単な説明】
【００１７】
【図１】本考案の一実施形態に係る装置の平面図である。
【図２】本考案の一実施形態に係る装置の側面断面図である。
【図３】本考案の一実施形態に係る装置の正面図である。
【図４】本考案の一実施形態に係る装置の後面図である。
【符号の説明】
【００１８】
１  上部前側安全蓋
２  上部後側安全蓋
３  処理フィルター取出部安全蓋
４  処理フィルター取出部安全蓋手指掛具
５  装置前面安全板
６  フィルター挿入ガイド板支柱
７  処理フィルター出口ホッパー部固定支柱
８  ロール部、電気制御盤部、駆動用ギヤーボックス等固定架台
９  キャスター
10  電気制御盤
11  駆動用ギヤーボックス
12  ロール部底板
13  ロール駆動用モーター
14  堆積粉末移動用バイブレータ−
15  フィルター挿入ガイド板
16  除去粉末補集用ホッパー
17  捕集袋取付用ノズル
18  処理フィルター受け格子板
19  フィルター挿入下部ロール
20  フィルター挿入上部ロール
21  フィルター叩きロール下部受けロール
22  フィルター叩きロール
被処理フィルター
【図１】
0003101283.tif 000003
【図２】
0003101283.tif 000004
【図３】
0003101283.tif 000005
【図４】
0003101283.tif 000006